(57)【要約】【課題】  吸湿しても通気性を確保すると共に、ウィルス、細菌、花粉、カビ、ホコリ、匂い等の侵入を有効に防ぐことができて、繰り返し使用しても除菌効果及び脱臭効果が落ちない衛生用マスクを提供する。【解決手段】  マスク主体部と、前記マスク主体部を保持するマスクフレームと、前記マスクフレームに取り付けられた耳掛け手段とから構成され、前記マスク主体部は、水分又は湿気を吸収することにより繊維が伸びて繊維間の間隙が拡大する吸湿伸延性布材により形成され、当該吸湿伸延性布部材の表面及び内部に光触媒アパタイトの微細粒子が略均一に付着している。【選択図】  図１
2005177320.tif 000002
【特許請求の範囲】
【請求項１】
空気中に浮遊するウィルス、細菌又は花粉等の異物の体内侵入を防止する衛生用マスクであって、
マスク主体部と、
前記マスク主体部を保持するマスクフレームと、
前記マスクフレームに取り付けられた耳掛け手段と、から構成され、
前記マスク主体部は、
水分又は湿気を吸収することにより繊維が伸びて繊維間の間隙が拡大する吸湿伸延性布材により形成され、当該吸湿伸延性布部材の表面及び内部に光触媒アパタイトの微細粒子が略均一に付着されていることを特徴とする衛生用マスク。
【請求項２】
前記光触媒アパタイトは、酸化チタンであることを特徴とする請求項1に記載の衛生用マスク。
【請求項３】
前記吸湿伸延性布材には、香料が含侵されていることを特徴とする請求項３に記載の衛生用マスク。
【請求項４】
空気中に浮遊するウィルス、細菌又は花粉等の異物の体内侵入を防止する衛生用マスクであって、
マスク主体部と、
前記マスク主体部を支持するマスクフレームと、
前記マスクフレームに取り付けられた耳掛け手段と、から構成され、
前記マスク主体部は、
水分又は湿気を吸収することにより繊維が伸びて繊維間の間隙が拡大する吸湿伸延性布材と、
前記吸湿伸延性布材に接して光触媒アパタイトの微細粒子が略均一に付着されている通気性を有する光触媒アパタイト含侵シートと、により構成されていることを特徴とする衛生用マスク。
【請求項５】
前記光触媒アパタイトは、酸化チタンであることを特徴とする請求項４に記載の衛生用マスク。
【請求項６】
前記マスク主体部は、さらに通気性を有する香料含侵シートを含むことを特徴とする請求項４に記載の衛生用マスク。
【請求項７】
前記吸湿伸延性布材は、水分又は液状の薬剤が含侵していることを特徴とする請求項１又は４に記載の衛生用マスク。
【請求項８】
前記マスクフレームは、前記マスク主体部が挿入された状態で保持するポケットを備えることを特徴とする請求項４に記載の衛生用マスク。
【請求項９】
空気中に浮遊するウィルス、細菌又は花粉等の異物の体内侵入を防止する衛生用マスクの製造方法であって、
水分又は湿気を吸収することにより繊維が伸びて繊維間の間隙が拡大する吸湿伸延性布材に微細な光触媒アパタイト粒子を含有する液体に浸す含侵ステップと、
前記吸湿伸延性布材を乾燥させる乾燥ステップと、
前記乾燥させた吸湿伸延性布材をマスクフレームに取り付ける取付ステップと、
の各ステップを有することを特徴とする衛生マスクの製造方法。
【請求項１０】
前記含侵ステップは、香料を含侵させるステップを含む請求項７に記載の衛生マスクの製造方法。
【発明の詳細な説明】
【技術分野】
【０００１】
本発明は、衛生用マスクに関し、特に、大気中に浮遊する細菌、ウィルス、花粉、カビ、粉塵等(本願では、これらを「異物」という)が、呼気を通じて体内に侵入することを防ぐために、利用者の口蓋を覆う状態で装着される通気性を有する衛生用マスクであって、人体への異物の侵入を防止するための衛生用マスク（以下、適宜「マスク」という）および衛生マスクの製造方法に関する。
【背景技術】
【０００２】
従来のマスクは、マスクの主体部として通気性を有するガーゼ等の布材（布パッド等）を使用し、これによって空気中の異物を濾過するものであった。
【０００３】
ところで、空気中の異物の内、スギ花粉の粒径は、約０．０３〔ｍｍ〕で、米粒の３／５００程度、結核菌（細菌）の大きさは、約２〔μｍ〕で、米粒の１／２５００程度であるのに対して、例えば、風疹ウィルスの大きさは約２００〔ｎｍ〕で、米粒の１／５００００程度である。
【０００４】
従って、ガーゼを複数枚重ねたマスクでは、花粉、カビ、ホコリ等の比較的粒径サイズの大きい異物の侵入を防げても、それよりも遙に微小（大きさのオーダーが異なる）ウィルスの侵入を阻止することができず、よって、ＳＡＲＳ（新型肺炎）を含むインフルエンザ等のウィルス性疾患の感染を予防できないという問題点があった。
【０００５】
このため、ガーゼ等の布材に加えて、抗菌シート、及び活性炭素繊維などの複数の層を重ねて構成したマスクも知られている。
【発明の開示】
【発明が解決しようとする課題】
【０００６】
しかし、ミクロン単位の微粒子を捕捉するためにマスク主体部を構成するガーゼの繊維を緻密に編み込んだ布材を使用すると、その繊維織りにおける緻密性が高いほど通気性が劣化することとなる。ましてや、ガーゼ等の繊維層に、抗菌シートや活性炭素繊維層などの複数の層を重ねて構成した多層構造のマスクの通気性はさらに劣る。
【０００７】
また、マスク主体部には、吐息中に含まれる湿気がマスク装着後の時間経過に伴って蓄積されていくが、ガーゼを構成する繊維は、湿気により膨張し繊維間の隙間を塞ぐようになるので、装着によってマスクの通気性はさらに劣化してしまい、その結果ユーザは息苦しさを覚えることとなる。また、活性炭層を含む多層の構造の場合は、マスク全体を水洗いができず、使用すればするほど、通気性が悪くなる一方であるという問題点があった。
【０００８】
ところで、例えばインフルエンザを引き起こすウィルスは、湿気に触れることによって死滅することが知られており、マスク主体部が湿気を帯びての湿気を維持することは、マスクの除菌性能を高める上で必要なことである。このため、マスク装着時における通気性を維持するために従来のナイロン、アセテート、ポリエステル等の湿気の保持性において劣る化学繊維を使用することは得策ではなく、マスク主体部において、水分や湿気を保持するようにすることが望ましい。
【０００９】
本願は、上記した従来のマスクが有する種々の課題に鑑みて成されたものであり、殺菌効果や脱臭効果を有すると共に、インフルエンザ等のウィルスの死滅作用を有する湿度を維持し且つ水分や湿度を吸収してもそれによって通気性が劣化することがなく呼吸が容易な衛生用マスクを提供することを目的とするものである。
【課題を解決するための手段】
【００１０】
このため、本発明は、マスク主体部と、前記マスク主体部を保持するマスクフレームと、前記マスクフレームに取り付けられた耳掛け手段とから構成され、前記マスク主体部は、水分又は湿気を吸収することにより繊維が伸びて繊維間の間隙が拡大する吸湿伸延性布材により形成され、当該吸湿伸延性布部材の表面及び内部に光触媒アパタイトの微細粒子が略均一に付着していることを特徴とする衛生用マスクを提供するものである。
【００１１】
酸化チタン（ＴｉＯ２）に代表される光触媒アパタイトは、殺菌効果や除臭効果を有することが知られており、これに呼吸に伴ってマスク主体部に蓄積される湿度によるウィルス等の除菌効果との相乗作用により、衛生マスクの機能を飛躍的に高めると共に、通気性を飛躍的に向上させたのである。
【００１２】
また、前記吸湿伸延性布材には、香料を含侵されることによりマスク装着の心地よさを向上させると共に、例えば、レモン等の柑橘系の香料は、鼻腔を拡大させる効果を有するので呼吸を楽にすることも可能にしたのである。
【００１３】
本発明に係る衛生マスクのマスク主体部は、水分又は湿気を吸収することにより繊維が伸びて繊維間の間隙が拡大する吸湿伸延性布材と、前記吸湿伸延性布材に接して光触媒アパタイトの微細粒子が略均一に付着されている通気性を有する光触媒アパタイト含侵シートと、により構成するようにしても良い。このような構成に、さらに、通気性を有する香料含侵シートを含ませることも可能である。
【００１４】
本衛生マスクにおいては、上述したように、呼吸に伴ってマスク主体部に蓄積される湿度によるウィルス等の除菌効果を発揮させるものであるが、マスク主体部が水分や湿気を含んでも吸湿伸延性布材は通気性を維持することができるので、積極的に水分又は液状の薬剤を含侵させて使用させることも可能であり、これにより、光触媒アパタイトが有する殺菌作用や除臭作用との相乗効果を発揮させることができるのである。
【００１５】
このため、前記マスクフレームは、前記マスク主体部が挿入された状態で保持するポケットを備える構成とする。
【００１６】
本発明は、さらに、空気中に浮遊するウィルス、細菌又は花粉等の異物の体内侵入を防止する衛生用マスクの製造方法であって、水分又は湿気を吸収することにより繊維が伸びて繊維間の間隙が拡大する吸湿伸延性布材に微細な光触媒アパタイト粒子を含有する液体に浸す含侵ステップと、前記吸湿伸延性布材を乾燥させる乾燥ステップと、前記乾燥させた吸湿伸延性布材をマスクフレームに取り付ける取付けステップと、の各ステップを有することを特徴とする衛生マスクの製造方法を提供するものである。
【００１７】
酸化チタン（ＴｉＯ２）に代表される光触媒アパタイトは、親水性を有するので、上記方法により、本衛生マスクのマスク主体部に光触媒アパタイトを均一に且つ高密度に付着又は織り込むことができる。さらに、使用時において呼吸により体内に取り込まれる空気が、光触媒アパタイトと良好に接触して光触媒機能を有する高機能の衛生マスクを製造することを実現したのである。
【００１８】
ここで、前記含侵ステップは、香料を含侵させるステップを含むようにしても良い。
【発明の効果】
【００１９】
以上説明したように、本発明に係る衛生マスは、殺菌効果や脱臭効果を有すると共にインフルエンザ等のウィルスの不活作用を有する湿度を維持し且つ水分や湿度を吸収してもそれによって通気性が劣化することがなく呼吸が容易な衛生用マスクの提供を実現したのである。すなわち、呼吸に伴ってマスク主体部に蓄積される湿度によるウィルス等の除菌効果との相乗作用により、衛生マスクの機能を飛躍的に高めると共に、通気性を飛躍的に向上させたのである。また、前記吸湿伸延性布材には、香料を含侵されることによりマスク装着の心地よさを向上させると共に、例えば、レモン等の柑橘系の香料は、鼻腔を拡大させる効果を有するので呼吸を楽にすることも可能にしたのである。
【発明を実施するための最良の形態】
【００２０】
以下、本発明に係る衛生用マスクの最良の実施形態について、図面を参照して詳細に説明する。
【実施例１】
【００２１】
図１は、本発明の実施例１に係るマスクの構成を示す構成図である。
【００２２】
実施例１に係る本衛生マスクは、マスク主体部１と、前記マスク主体部１を保持するマスクフレーム２と、前記マスクフレーム２に取り付けられた耳掛け手段３と、から構成される。
【００２３】
ここで、マスク主体部１は、水分又は湿気を吸収することにより繊維が伸びて繊維間の間隙が拡大する吸湿伸延性布材４とこれを収納する収納袋９により形成され、吸湿伸延性布部材４の表面及び／又は内部に光触媒アパタイトの微細粒子６（図７）が略均一に付着している。
【００２４】
マスクフレーム２は、柔軟性を有する平板状の材料で構成されている。この材料としては、例えば、合成樹脂、金属、皮革、布、紙、ガラス繊維等を使用することができる。
【００２５】
吸湿伸延性布材４を収納する収納袋９は、通気性の良い布や、穿孔されている薄いビニールシートで構成されるが、これを用いることなく、吸湿伸延性布材４をマスクフレーム２のポケット内に挿入するようにしても良い。
【００２６】
また、耳掛け手段３は、通常、弾性のあるゴム紐を使用するが、紐を結ぶようにしても良い。
【実施例２】
【００２７】
図２は、本発明の実施例２に係るマスクの構成を示す構成図である。
【００２８】
実施例１と同様に、実施例２係る本衛生マスクは、マスク主体部１と、前記マスク主体部１を保持するマスクフレーム２と、前記マスクフレーム２に取り付けられた耳掛け手段３と、から構成される。ここで、図２に示すように、実施例２係る本衛生マスクの構成は、マスク主体部１がマスクフレームの一方の面側にアタッチされるようになっている。
【００２９】
アタッチの方法は、例えば、スリット状のマジックテープ５ａをマスク主体部１の両サイドに取付け、マスクフレーム２側においても、これを受ける位置にマジックテープ５ｂを取り付けることにより、マスクフレーム２に対してマスク主体部１を着脱自在にアタッチできるようにしている。尚、マスク主体部１のマスクフレーム２に対するアタッチ方法は、ホック、チャック等の着脱手段によっても良いことは言うまでもない。
【００３０】
ところで、マスク主体部１は、水分又は湿気を吸収することにより繊維が伸びて繊維間の間隙が拡大する吸湿伸延性布材４とこれを収納する収納袋９とにより形成され、吸湿伸延性布部材４の表面及び／又は内部に光触媒アパタイトの微細粒子６（図７）が略均一に付着している。
【００３１】
実施例２に係る本衛生用マスクにおいても、実施例１と同様に、マスクフレーム２は、柔軟性を有する平板状の材料で構成されている。この材料としては、例えば、合成樹脂、金属、皮革、布、紙、ガラス繊維等を使用することができる。
【００３２】
また、吸湿伸延性布材４を収納する収納袋９は、通気性の良い布や、穿孔されている薄いビニールシートで構成されるが、これを用いることなく、吸湿伸延性布材４をマスクフレーム２のポケット内に挿入するようにしても良い。
【００３３】
さらに、耳掛け手段３は、通常、弾性のあるゴム紐を使用するが、紐を結ぶようにしても良い。
【実施例３】
【００３４】
図３は、本発明の実施例３に係る衛生マスクの構成を示す構成図である。
【００３５】
実施例２と同様に、実施例３係る立体形状の本衛生マスクは、マスク主体部を構成する吸湿伸延性布材４と、前記マスク主体部１を保持するマスクフレーム２と、前記マスクフレーム２に取り付けられた耳掛け手段３と、から構成される。ここで、図３に示すように、実施例３係る本衛生マスクの構成は、吸湿伸延性布材４がマスクフレームの内側にアタッチされるようになっている。
【００３６】
アタッチの方法は、例えば、スリット状のマジックテープ５ａを、マスク主体部を構成する吸湿伸延性布材４の上下端に取付け、マスクフレーム２側においても、これを受ける位置にマジックテープ５ｂを取り付けることにより、マスクフレーム２に対してマスク主体部を構成する吸湿伸延性布材４を着脱自在にアタッチできるようにしている。マスク主体部を構成する吸湿伸延性布材４のマスクフレーム２に対するアタッチ方法は、ホック、チャック等の着脱手段によっても良いことは言うまでもない。
【００３７】
実施例３に係る本衛生用マスクにおいても、実施例１又は２と同様に、マスクフレーム１は、柔軟性を有する平板状の材料で構成されている。この材料としては、例えば、合成樹脂、金属、皮革、布、紙、ガラス繊維等を使用することができる。また、耳掛け手段３は、通常、弾性のあるゴム材を使用するが、紐を結ぶようにしても良い。
【００３８】
本実施例３に係る衛生マスクは、鼻腔／口と本衛生マスクの内側間に所定の空間が形成される立体構造であるので呼吸が容易になると共に装着性が向上する。
【００３９】
ところで、マスク主体部１に使用する吸湿伸延性布材は、例えば、特開２００２−１０５８２５に開示されている布材や、ミズノ株式会社と三菱レイヨン株式会社から市販されている繊維「ダイナミックエアリー」（登録商標）等の水分や湿度を吸うことにより繊維質が伸びて繊維間の隙間が大きくなる吸湿伸延性繊維を使用する。
【００４０】
このマスク主体部１を構成する吸湿伸延性布材４は、マスクを実際に使用するに先立って、液体（水分）を浸透させて湿らせて使用しても良いが、呼吸により吸湿状態になるので必ずしも水分を浸透させる必要はない。マスク主体部１の吸湿伸延性布材４は、吸湿状態になっても、その通気性が悪化することはないので、楽な呼吸動作を継続することを可能にしている。さらに、吸湿伸延性布材４に浸透した湿気は、ウィルス等のミクロな異物を吸着し除菌する効果がある。
【００４１】
吸湿伸延性布材４に液体を浸透又は湿らせて使用する場合、水又は匂いの少ない消毒薬を加えるとより効果的である。さらに、これに、例えば柑橘系の香料等を付加することによって爽やかな気分にさせることも可能である。これらの香料は、鼻腔を拡大して呼吸を楽にする効果も期待できるのである。
【００４２】
さらに、本衛生用マスクにおいては、後に詳しく説明する方法により、吸湿伸延性布材４に、除臭及び殺菌効果がある光触媒アパタイトを付着、含有させるとにより、気管内に吸入される異物の消毒、殺菌効果及び除臭効果を飛躍的に向上させることを可能にしている。このような、ウィルスや細菌類をその死骸や毒素を含めて分解、無毒化する光触媒アパタイトの例としては、リン酸カルシウムの一種であるカルシウム・ヒドロキシ・アパタイト等が知られている。
【００４３】
このような吸湿伸延性布材には、例えば、水分を吸収すると繊維が水分量に応じて伸びて、開孔部に隙間が生じ、これにより通気性が約３０％向上するような繊維も開発され、既に商品化されている。
【００４４】
図４は、このような吸湿伸延性布材４の第１の例を示すものであり、図４（ａ）はその側面図、図４（ｂ）はその正面図である。
【００４５】
図４に示す織布は、横方向の繊維に張力の弱い線材１１を使用し、縦方向の繊維に張力の強い線材１３を使用して、この縦、横の線材を織り込んでいる。符合１３はナックルと呼ばれる突起部である。この織布に使用する繊維は、繊度１〜６ｄｔｅｘ、繊維長２０〜７０ｍｍで、さらに、繊度１．５〜２．５ｄｔｅｘ、繊維長３８〜６０ｍｍのものがより好ましいとしている。また、ウェブの繊維配合中には潜在捲縮性繊維が主体であることと、この潜在捲縮性繊維の重量が８０重量％以上であることが好ましく、全量が潜在捲縮性繊維であればなお好適である。
【００４６】
なお、この潜在捲縮性繊維は、温度特性の異なる複数の樹脂成分から成る芯鞘型若しくはサイドバイサイド型といった復号構造を有する繊維で、樹脂成分中の１成分と他の樹脂成分との間で熱収縮率が異なる組合せとなっており、１つの樹脂成分が軟化して収縮し、他の樹脂成分と相対的に収縮差が起こる温度で熱処理を施すことによって、個々の繊維がコイル状（またはスパイラル状）の捲縮を示す繊維としている。例えば、共重合ポリプロピレン／ポリプロピレン、ポリプロピレン／ポリアミド、ポリエチレン／ポリプロピレン、ポリプロピレン／ポリエステル、ポリエチレン／ポリエステルなどの樹脂の組合せが可能であることを開示している。
【００４７】
図５は、吸湿伸延性布材４の第２の例として、ミズノ株式会社と三菱レイヨン株式会社から市販されている繊維「ダイナミックエアリー」（登録商標）の乾燥時と吸湿時における繊維質の状態を示すものである。
【００４８】
図５（ａ）は、この吸湿伸延性繊維が乾燥していて縮んでいる状態を示し、図５（ｂ）は、この吸湿伸延性繊維が吸湿時に伸延している状態を示すものである。
【００４９】
このように、本衛生用マスクに使用する吸湿伸延性布材４は、呼吸等により湿気を帯びたり若しくは水や液状薬剤を含浸させたとしても、それに応じて繊維が伸びるので呼吸が容易である。
【００５０】
図６は、図５に示した吸湿伸延性繊維を織って本衛生用マスクのマスク主体部１の吸湿伸延性部材４を形成した場合の、乾燥時（図６の（ａ）に示す）と吸湿時（図６の（ｂ）に示す）における繊維の状態を示したものである。例えば、通常のマスクのガーゼに用いられる綿等の繊維の場合、水分を吸うとそれに応じて繊維は膨張してしまって通気性が悪くなり呼吸することが困難になるが、本衛生用マスクにおいては、図６（ｂ）に示すように、吸湿時に繊維が伸延するので、繊維間の隙間がおおきくなって通気性はかえって良好になり、水分や湿気の含有を低下させる必要がないのである。
【００５１】
これによって、本衛生マスクにおいては、積極的にマスク主体部１に、水や液状の薬剤を含ませることにより、湿度成分によるインフルエンザ菌等の不活効果を高めることを可能にしているのである。
【００５２】
本衛生用マスクにおいては、このような吸湿伸延性布材４に、除臭及び殺菌効果がある光触媒アパタイトを付着又は含有させるとにより、気管内に吸入される異物の消毒、殺菌効果及び除臭効果を飛躍的に向上させることを可能にしている。このような、ウィルスや細菌類をその死骸や毒素を含めて分解、無毒化する光触媒アパタイトの例としては、リン酸カルシウムの一種であるカルシウム・ヒドロキシ・アパタイト等が知られている。
【００５３】
図７は、吸湿伸延性布材４の繊維内部に、光触媒アパタイト６の粒子が付着している状態を示すものである。ここで、図７の上方がマスクを装着した際の屋外側を示し、図７の下方が鼻腔及び口腔側を示す。図７に示すように、空気の通り道（隙間に）光触媒アパタイトの粒子が高密度に且つ均一に付着しているので、例えば、ニオイ成分の有機成分や、ウィルス等の細菌は、光触媒アパタイト６に接触して、分解又は死滅することとなる。
【００５４】
特に、衛生用マスクは、屋外で使用される場合、日光の光を受けることにより光触媒アパタイト６は、活性化して除臭効果や殺菌効果は飛躍的に向上することとなるのである。
【００５５】
図８は、マスク主体部１の他の構成例を示すものであって、吸湿性伸延布材４に光触媒アパタイト６を付着することなく、通気性に優れたシート上に光触媒アパタイト６を均一に高密度に付着した光触媒アパタイトシート７と、薬剤及び／又は香料を含浸した通気性ある薬剤シート８を３層重ねてマスク主体部１と構成し、当該マスク主体部１をマスクフレーム２のポケットに挿入して使用するようにした構成例を示すものである。
【００５６】
これにより、吸湿性伸延布材４を交換しても、比較的高価な光触媒アパタイトシートを繰り返し使用できるというメリットを生じさせている。
【００５７】
図９は、本発明にかかる衛生用マスクの製造過程を示すフローチャートを示すものである。
【００５８】
図９に示すように、本衛生用マスクの製造方法は、少なくとも、水分又は湿気を吸収することにより繊維が伸びて繊維間の間隙が拡大する吸湿伸延性布材４に微細な光触媒アパタイト粒子６を含有する液体に浸す含侵ステップ（Ｓ１）と、前記吸湿伸延性布材４を乾燥させる乾燥ステップ（Ｓ２）と、前記乾燥させた吸湿伸延性布材４をマスクフレーム２に取り付ける取付ステップ（Ｓ３）と、の各ステップを有するものである。ここで、前記含侵ステップは、香料を含侵させるステップを含ませるようにしても良い。
【００５９】
光触媒アパタイトは、親水性に優れることから、上記製造過程により、図６に示したように、吸湿伸延性布材４の繊維間に微細な光触媒アパタイト粒子６を均一且つ高密度に付着させることを実現したのである。
【００６０】
以上詳しく説明したように、本発明に係る衛生用マスクは、マスク主体部と、前記マスク主体部を保持するマスクフレームと、前記マスクフレームに取り付けられた耳掛け手段とから構成され、前記マスク主体部は、水分又は湿気を吸収することにより繊維が伸びて繊維間の間隙が拡大する吸湿伸延性布材により形成され、当該吸湿伸延性布部材の表面及び内部に光触媒アパタイトの微細粒子が略均一に付着していることから、殺菌効果や除臭効果を有する光触媒アパタイトと、呼吸に伴ってマスク主体部に蓄積される湿度によるウィルス等の除菌効果との相乗作用により、衛生マスクの機能を飛躍的に高めると共に、通気性を飛躍的に向上させたのである。
【産業上の利用可能性】
【００６１】
本発明は、衛生用マスク及び衛生用マスクの製造方法に関するものであり、産業上の利用性を有するものである。
【図面の簡単な説明】
【００６２】
【図１】本衛生用マスクの第１の実施例を示す。
【図２】本衛生用マスクの第２の実施例を示す。
【図３】本衛生用マスクの第２の実施例を示す。
【図４】本衛生用マスクに使用する吸湿伸延性布材の例を示す。
【図５】本衛生用マスクに使用する吸湿伸延性布材に使用する繊維の状態を示し、（ａ）は乾燥時の状態、（ｂ）は吸湿時の状態を示す。
【図６】本衛生用マスクに使用する吸湿伸延性布材の状態を示し、（ａ）は乾燥時の状態、（ｂ）は吸湿時の状態を示す。
【図７】本衛生用マスクに使用する吸湿伸延性布材に光触媒アパタイトの粒子が付着している状態とその作用を説明する図である。
【図８】本衛生用マスクのマスク主体部の構成例を示す。
【図９】本衛生用マスクの製造方法におけるフローチャートの例を示す。
【符号の説明】
【００６３】
１：マスク主体部
２：マスクフレーム
３：耳掛け部
４：吸湿伸延性布材
５：装着手段（マジックテープ）
６：光触媒アパタイトの粒子
７：光触媒アパタイト付着シート
８：薬剤含有シート
９：吸湿伸延性布材収納袋
【図１】
2005177320.tif 000003
【図２】
2005177320.tif 000004
【図３】
2005177320.tif 000005
【図４】
2005177320.tif 000006
【図５】
2005177320.tif 000007
【図６】
2005177320.tif 000008
【図７】
2005177320.tif 000009
【図８】
2005177320.tif 000010
【図９】
2005177320.tif 000011